(57)【特許請求の範囲】
【請求項１】
人工まつげ本体と、該人工まつげ本体に固着される装飾部材を備えたエクステンション用人工まつげであって、
前記人工まつげ本体は、前記装飾部材を固着する平面状に形成された取付面を有することを特徴とするエクステンション用人工まつげ。
【請求項２】
前記装飾部材は、前記取付面に固着される平面状に形成された固着面を有することを特徴とする請求項１に記載のエクステンション用人工まつげ。
【請求項３】
前記人工まつげ本体は、根本側端部から先端側端部にかけて湾曲して形成され、
前記取付面は、湾曲の径方向内側面に形成されてなることを特徴とする請求項１又は２に記載のエクステンション用人工まつげ。
【請求項４】
前記人工まつげ本体は、根本側端部から先端側端部にかけて湾曲して形成され、
前記取付面は、湾曲の径方向外側面に形成されてなることを特徴とする請求項１又は２に記載のエクステンション用人工まつげ。
【請求項５】
前記取付面は、前記人工まつげ本体の根本側端部近傍に形成されてなることを特徴とする請求項１乃至４のいずれか一項に記載のエクステンション用人工まつげ。
【請求項６】
前記装飾部材は、前記人工まつげ本体の短手方向の略中心に重なる位置に取り付けられてなることを特徴とする請求項１乃至５のいずれか一項に記載のエクステンション用人工まつげ。
【請求項７】
前記装飾部材は、前記人工まつげ本体の短手方向の略中心を通り前記人工まつげ本体の長手方向に伸びる線を軸として略対称となるように取り付けられてなることを特徴とする請求項１乃至６のいずれか一項に記載のエクステンション用人工まつげ。
【請求項８】
前記人工まつげ本体は、樹脂材料からなり、
該樹脂材料には、粉末状の輝片が混練されてなることを特徴とする請求項１乃至７のいずれか一項に記載のエクステンション用人工まつげ。
【請求項９】
請求項１乃至８のいずれか一項に記載のエクステンション用人工まつげと、使用者のまつげと、を接着剤を用いて接着することを特徴とするまつげの加飾方法。
【発明の詳細な説明】
【技術分野】
【０００１】
本発明は、エクステンション用人工まつげ及びまつげの加飾方法に係り、特に装飾部材が良好な状態で長期間保持可能なエクステンション用人工まつげ及びまつげの加飾方法に関する。
【背景技術】
【０００２】
目元にメイクを施すことによって大きく顔の印象が変わることから、美容業界では、目元にメイクを施す様々な技術が開発されている。そして目元のメイクにおいては、まつげに長さやボリュームを与えることにより、目を大きく見せたり、目尻を長くきれいに見せたりすることができるため、マスカラや、付けまつげ等が用いられてきた。
【０００３】
しかし、マスカラは容易にまつげにボリュームを与えることができるが、マスカラの着脱はほぼ毎日行われるため、手間がかかる。さらに、海水浴や入浴時等の水分や、汗によってマスカラが流れてしまう場合があり、持続性という点で劣るものがある。また、使用者の体質、マスカラの成分によっては目の周りに負荷がかかる場合がある。
【０００４】
これに対し、一本のまつげに対して一本の人工まつげを接着するエクステンション技術が提案されている。エクステンション（人工まつげ）は、１ヶ月程度保持することができ、通常の洗顔でも外れることがない。また、まつげに直接接着するため、まぶたに直接薬剤が付着することなく、より目の周りの皮膚にかかる負荷を低減することができる。
【０００５】
そして、近年では、ファッション性を高めるため、使用者の好みに応じて、人工まつげの色を黒以外の色（ブルー、グリーン、レッド等）にしたものが用いられることがある。また、好みの色の人工まつげを用いるだけでなく、人工まつげにさらに装飾品を取り付ける技術が提案されている（たとえば、特許文献１、２）。
【先行技術文献】
【特許文献】
【０００６】
【特許文献１】特開２００９−２６３８３４号公報
【特許文献２】実公昭５３−４８５２号公報
【発明の概要】
【発明が解決しようとする課題】
【０００７】
特許文献１には、複数本の人工まつげをひとまとめにした付けまつげに、装飾部材（特許文献１には、「飾りボンボン」と記載されている。）が取り付けられた付けまつげが開示されている。このように、装飾部材を付けまつげに取り付けることにより、ファッション性の高い飾り付き付けまつげを提供することができる。
【０００８】
このように、複数本の人工まつげをひとまとめにし、一方の末端側を使用者のまぶたに貼り付ける付けまつげは、複数本に跨って装飾部材を取り付けることが可能となるため、装飾部材を付けまつげに対してしっかりと固定することができる。
【０００９】
しかし、複数本がまとめられた付けまつげは、予め形状が決まっているため、カール（湾曲）の程度や、まつげの長さ等、選択できる種類が限定される。そして、エクステンション用の人工まつげは、使用者のまつげ一本に対して一本が取り付けられるというように、一本ずつ取り扱われる。したがって、人工まつげ一本に対して装飾部材を取り付けることが必要となる。
【００１０】
これに対し、特許文献２で開示された技術においては、一本の長毛の先端において、略球状の装飾部材（特許文献２には、「光沢粒子片」と記載されている。）が凝着した付けまつげが開示されている。この装飾部材は、長毛の先端に、光沢性着色塗料、着色透明樹脂塗料等を凝着することにより得ることができる。
【００１１】
しかし、このように塗料の凝着により取り付けられる装飾部材は、人工まつげの先端に取り付けられるため、装飾部材の重さ等により、装飾部材が人工まつげから脱離しやすいという問題点がある。また、上向きにカールした（湾曲した）長毛の先端に装飾部材が取り付けられていると、装飾部材の重みにより、人工まつげが下方に引っ張られてしまうため、ファッション的に好ましくない。
【００１２】
さらに、塗料を凝着させることにより取り付けられる装飾部材は、その材料や色が限定されるため、デザインにおいて多様性を持たせることが難しい。また、塗料は人工まつげの先端に凝着させることができるが、それ以外の箇所に装飾部材を取り付けたい場合、決められた箇所に取り付けることが難しく、仕上がりが均一にならないという不都合がある。
【００１３】
また、一般にエクステンション用人工まつげに装飾部材を取り付ける場合には、エクステンション用人工まつげを使用者のまつげに接着した後、エクステンション用人工まつげ又は使用者のまつげの表面に装飾部材を取り付けていた。このような場合、まつげはその断面が円形状であるため、装飾部材との接着面積が小さく、装飾部材が脱離しやすい。その結果、装飾部材が良好に保持されないという問題点があった。
【００１４】
さらに、装飾部材を取り付ける際、使用者のまつげや他のエクステンション用人工まつげに跨って接着剤が付着するため、まつげの成長を妨げる等の理由から、好ましくない。そして、使用者のまつげにエクステンション用人工まつげを取り付けた状態で装飾部材を取り付ける作業は、まつげが動きやすく不安定であるため、施術者によっては均一な仕上がり具合とならず、また、作業に時間を要するという不都合があった。
【００１５】
したがって、一本を単位として取り扱われるエクステンション用人工まつげにおいて、装飾部材を良好に保持可能であると共に、多様な種類の装飾部材を適用可能な技術が望まれていた。また、装飾部材を備えたエクステンション用人工まつげにおいて、仕上がりが均一であり、使用者のまつげに取り付ける際の作業時間が短縮可能な技術が望まれていた。
【００１６】
本発明の目的は、装飾部材が良好な状態で長期間に渡って保持可能であると共に、多様な種類の装飾部材が適用可能なエクステンション用人工まつげ及びまつげの加飾方法を提供することにある。また、本発明の他の目的は、装飾部材の取り付け作業において仕上がり状態が均一であり、使用者のまつげに取り付ける際の作業時間が短縮可能なエクステンション用人工まつげ及びまつげの加飾方法を提供することにある。
【課題を解決するための手段】
【００１７】
前記課題は、本発明に係るエクステンション用人工まつげによれば、人工まつげ本体と、該人工まつげ本体に固着される装飾部材を備えたエクステンション用人工まつげであって、前記人工まつげ本体は、前記装飾部材を固着する平面状に形成された取付面を有すること、により解決される。
【００１８】
このように、人工まつげ本体において、装飾部材に接する面を平面状に形成することにより、人工まつげ本体と装飾部材との接触面積が大きくなる。したがって、装飾部材を人工まつげ本体に対して安定して取り付けることができる。
従来技術においては、断面が円形状の人工まつげ本体に対して装飾部材を取り付ける必要があったため、装飾部材が人工まつげ本体に固定されにくく、装飾部材が人工まつげ本体から脱離することが多かった。しかし、上記のように、人工まつげ本体において平面状の取付面を備えることにより、装飾部材を良好な状態で保持することができる。
また、装飾部材を安定して人工まつげ本体に取り付けることが可能となるため、多様なデザインの装飾部材を適用可能である。
また、平面状の取付面の形成時には、人工まつげ本体の一部（側面）を加熱、押圧することにより取付面を形成するが、このようにして形成された取付面は、その表面の密度が高く、さらに硬度も高いため、安定して装飾部材を取り付けることができる。
さらに、取付面及び固着面がそれぞれ平面状に形成されているため、互いに位置ずれしにくく、また、人工まつげ本体の特定の箇所に装飾部材が取り付け可能となるため、仕上がり状態を均一にすることができる。
【００１９】
このとき、前記装飾部材は、前記取付面に固着される平面状に形成された固着面を有すると好適である。
このように、人工まつげ本体及び装飾部材において、互いに接する面（人工まつげ本体の取付面と装飾部材の固着面）を平面状に形成することにより、人工まつげ本体と装飾部材との接触面積が大きくなる。したがって、装飾部材を人工まつげ本体に対して安定して取り付けることができる。
【００２０】
このとき、前記人工まつげ本体は、根本側端部から先端側端部にかけて湾曲して形成され、前記取付面は、湾曲の径方向内側面に形成されてなると好ましい。
このように、人工まつげ本体が湾曲して形成されている場合において、取付面を湾曲の径方向内側に形成することにより、人工まつげ本体の湾曲により装飾部材の荷重を受けることができるため、装飾部材をさらに安定して人工まつげ本体に固定することができる。
また、湾曲した人工まつげ本体を使用者の上まつげに装着した際、装飾部材が上面に配設されるため、装飾部材が周囲から視認しやすく、ファッション的にもより好適である。
【００２１】
また、前記人工まつげ本体は、根本側端部から先端側端部にかけて湾曲して形成され、前記取付面は、湾曲の径方向外側面に形成されていてもよい。
このように、人工まつげ本体が湾曲して形成されている場合において、取付面を湾曲の径方向外側に形成することにより、人工まつげ本体の湾曲により装飾部材の荷重を受けることができるため、装飾部材をさらに安定して人工まつげ本体に固定することができる。また、湾曲した人工まつげ本体を使用者の下まつげに装着した際、装飾部材が上面に配設されるため、装飾部材が周囲から視認しやすく、ファッション的にもより好適である。
【００２２】
さらに、前記取付面は、前記人工まつげ本体の根本側端部近傍に形成されてなると好ましい。
施術者が使用者のまつげにエクステンション用人工まつげを取り付ける際、エクステンション用人工まつげは、主として根本側端部から略中央付近までに接着剤が塗布され、使用者のまつげに接着される。このように、使用者のまつげに接着された根本側端部に装飾部材が取り付けられることにより、装飾部材は、より安定した状態で人工まつげ本体に保持される。したがって、根本側端部近傍に装飾部材が取り付けられた構成とすることにより、装飾部材を良好な状態で保持することが可能である。
また、根本側端部近傍に装飾部材が取り付けられていることにより、使用者のまつげにエクステンション用人工まつげを接着した際、使用者の目の近傍に装飾部材が取り付けられるため、ファッション的にもより好適である。
【００２３】
このとき、前記装飾部材は、前記人工まつげ本体の短手方向の略中心に重なる位置に取り付けられてなると好ましい。
このように、装飾部材が少なくとも人工まつげ本体の短手方向の略中心位置と重なるようにして取り付けられていることにより、装飾部材を人工まつげ本体に対して安定して取り付けることができる。
【００２４】
さらに、前記装飾部材は、前記人工まつげ本体の短手方向の略中心を通り前記人工まつげ本体の長手方向に伸びる線を軸として略対称となるように取り付けられてなると好適である。
このように、人工まつげ本体の長手方向（延在方向）を中心軸として、対称となるように装飾部材が取り付けられていると、取付面に対して、装飾部材が軸を中心として左右均一となるように取り付けられる。したがって、装飾部材の重心位置が偏ることなく、人工まつげ本体の取付面に対して装飾部材をさらに安定して取り付けることができる。
【００２５】
また、前記人工まつげ本体は、樹脂材料からなり、該樹脂材料には、粉末状の輝片が混練されていてもよい。
このように、人工まつげ本体が輝片（ラメ）が混練された樹脂材料によって形成されていると、装飾性が高まり、好適である。さらに、予め樹脂材料によって成形された人工まつげ本体に輝片を塗したものとは異なり、樹脂材料に対して輝片を混練すると、輝片が脱落しにくいため、装飾性と共に、耐久性も高いエクステンション用人工まつげとすることができる。
【００２６】
また、前記課題は、本発明に係るまつげの加飾方法によれば、請求項１乃至８のいずれか一項に記載のエクステンション用人工まつげと、使用者のまつげと、を接着剤を用いて接着すること、により解決される。
従来は、装飾部材を備えていないエクステンション用人工まつげを使用者のまつげに取り付けた後に装飾部材を取り付けており、装飾部材の取り付け時にはまつげが動きやすく、装飾部材が取り付けにくかった。さらに、まつげが動いてしまうため、装飾部材をしっかりと固定することが難しかった。
これに対し、予め装飾部材が取り付けられたエクステンション用人工まつげを使用者のまつげに対して取り付けることによってまつげに加飾するため、装飾部材の取り付け状態が良好であり、装飾部材の脱落を防止することができる。さらに、装飾部材は予めエクステンション用人工まつげに備えられているため、装飾部材の取り付け状態を均一にすることができる。
また、従来の加飾方法では、装飾部材が複数のまつげに跨って取り付けられることがあった。まつげは一般に、成長速度が個々で異なるため、複数のまつげに跨って装飾部材が取り付けられていると、使用者のまつげに負担がかかるだけでなく、接着された部分が徐々に位置ずれしてしまい、装飾部材が脱落してしまうことがあった。
これに対し、予め装飾部材が一本のエクステンション用人工まつげに取り付けられた状態でまつげの加飾を行うため、一本のまつげごとに加飾を施すことができ、装飾部材を安定して長期間保持することが可能である。
さらに、使用者のまつげ及び接着したエクステンション用人工まつげに対して装飾部材を取り付ける作業が必要ないため、取り付け作業の時間を短縮することができる。
【発明の効果】
【００２７】
本発明のエクステンション用人工まつげには、人工まつげ本体において平面状の取付面が形成されているため、人工まつげ本体と装飾部材とが接する面積が広くなり、装飾部材が良好な状態で保持される。したがって、装飾部材が人工まつげ本体において長期間に渡って保持されるため、耐久性が高い。
また、人工まつげ本体は、平面状の取付面を備えているため、多様な種類の装飾部材を用いることができる。
また、エクステンション用人工まつげ一本に対して装飾部材が予め取り付けられているため、装飾部材が複数のまつげに跨って取り付けられることが無く、良好な接着状態を保持することができる。
さらに、予め装飾部材がエクステンション用人工まつげに備えられているため、使用者のまつげに取り付ける際、施術者の熟練度に依存せず、均一な仕上がりを提供することが可能であると共に、取り付け作業の時間を短縮することができる。
【図面の簡単な説明】
【００２８】
【図１】本発明の一実施形態に係るエクステンション用人工まつげの使用例である。
【図２】本発明の一実施形態に係るエクステンション用人工まつげの斜視図である。
【図３】図２のＡ−Ａ線に相当する断面図である。
【図４】図２のＢ−Ｂ線に相当する断面図である。
【図５】本発明の一実施形態に係るエクステンション用人工まつげの平面図である。
【図６】本発明の一実施形態に係るエクステンション用人工まつげの底面図である。
【図７】本発明の他の実施形態に係るエクステンション用人工まつげの斜視図である。
【発明を実施するための形態】
【００２９】
以下、本発明の一実施形態について、図を参照して説明する。なお、以下に説明する部材、配置等は、本発明を限定するものではなく、本発明の趣旨に沿って各種改変することができることはもちろんである。なお、本明細書中において、「人工まつげ本体の短手方向」とは、人工まつげ本体の幅（太さ）方向を指すものであり、「人工まつげ本体の長手方向」とは、人工まつげ本体の長さ方向を指すものである。また、本明細書中において、「湾曲方向」とは、人工まつげ本体の根本側端部から先端側端部が立ち上がる方向を示すものとする。
【００３０】
図１乃至図６は本発明の一実施形態に係るもので、図１はエクステンション用人工まつげの使用例、図２はエクステンション用人工まつげの斜視図、図３は図２のＡ−Ａ線に相当する断面図、図４は図２のＢ−Ｂ線に相当する断面図、図５はエクステンション用人工まつげの平面図、図６はエクステンション用人工まつげの底面図であり、図７は本発明の他の実施形態に係るエクステンション用人工まつげの斜視図である。
【００３１】
［エクステンション用人工まつげ１００の構成］
本発明の一実施形態に係るエクステンション用人工まつげ１００は、図１で示すように、使用者のまつげに接着剤によって接着されることにより取り付けられる。
エクステンション用人工まつげ１００は、使用者のまぶた（まつげ２００の根本）から１．５〜２．０ｍｍ程度離間する位置に、使用者のまつげ２００の一本に対し、エクステンション用人工まつげ１００が一本となるように接着される。
【００３２】
なお、図１では、エクステンション用人工まつげ１００が、上側のまつげ２００に取り付けられた例を示したが、下側のまつげに取り付けられていても良い。下側のまつげに取り付けられるエクステンション用人工まつげ１００´については、後述する。
【００３３】
エクステンション用人工まつげ１００は、人工まつげ本体１０と、装飾部材２０とを備えている。そして、人工まつげ本体１０と、装飾部材２０とは、互いに固着されている。
人工まつげ本体１０は、使用者のまつげ２００の根本側に配設される根本側端部１２と、根本側端部１２から湾曲して（カールして）上方に延設された先端側端部１３とを備えている。すなわち、人工まつげ本体１０は、根本側端部１２から先端側端部１３にかけて上方に湾曲して形成されている。なお、人工まつげ本体１０の湾曲半径は多様な大きさとすることができ、使用者の好みや使用者のまつげ２００の湾曲具合によってさまざまな湾曲形状とすることができる。
【００３４】
人工まつげ本体１０の材質はポリエステル、ナイロン、塩化ビニル等の樹脂材料が好適に用いられる。そして、人工まつげ本体１０の色は、これら樹脂の中に着色料を混練することにより、ブラック、ブラウンの他、ブルー、グリーン、パープル、レッド、イエロー、ピンク等、様々な色とすることができる。
【００３５】
このように、着色された樹脂材料は、細長く糸状に引き延ばされ、適当な長さに分割されることにより、根本側端部１２及び先端側端部１３を備えた人工まつげ本体１０が製造される。なお、適当な長さに切断された人工まつげ本体１０は、湾曲するように押圧される。
【００３６】
さらに、人工まつげ本体１０は、上記樹脂材料の中に粉末状の輝片（ラメ）を混練させ、まつげの形状に似せて成形したものであっても良い。一般に、ブラックやブラウンの人工まつげ本体の先端側端部から根本側端部にかけて、粉末状のラメを塗すようにして加飾されたエクステンション用人工まつげが知られている。しかし、このように、ラメを混練させた樹脂材料を用いたエクステンション用人工まつげ１００とすると、ラメが人工まつげ本体１０から脱離しにくく、輝片（ラメ）の耐久性の高いエクステンション用人工まつげ１００とすることができる。
このとき、粉末状のラメは、ネイルアート用のラメ（直径０．０５〜０．２ｍｍ程度）が好適に用いられる。
【００３７】
上記材料により構成される人工まつげ本体１０は、図３に示すように、先端側端部１３が細く、根本側端部１２が太い略円錐状に形成されている。そして、人工まつげ本体１０には、湾曲の径方向内側において湾曲方向に対して垂直に形成された平面、すなわち取付面１１が形成されている。取付面１１は、装飾部材２０が取り付けられる平面であり、装飾部材２０の形状、大きさに応じて適当な形状、大きさで形成される。なお、図３及び図４には、湾曲方向を矢印で示している。
また、人工まつげ本体１０において、装飾部材２０が取り付けられていない部分の短手方向の断面（横断面）は、円形状となるように形成されている。
【００３８】
一般に、エクステンション用人工まつげにおいて、装飾部材は、人工まつげ本体の湾曲の径方向内側に取り付けられることが多い。通常、装飾部材をエクステンション用人工まつげに取り付ける際には、短手方向の断面（横断面）が円形状であるため、装飾部材と人工まつげ本体との接する面積が極めて小さく、装飾部材を安定させて取り付けることが難しい。
【００３９】
しかし、本発明のエクステンション用人工まつげ１００において、平面状の取付面１１を備えているため、装飾部材２０と人工まつげ本体１０とが接する面積が大きくなり、安定して装飾部材２０を取り付けることができる。なお、取付面１１は、平面状に形成されていれば、必ずしも平滑に形成されていなくても良い。例えば、部分的に凹部が備えられていてもよい。このとき、後述の固着面２１に対して嵌合可能であるとさらに好ましい。
【００４０】
さらに、人工まつげ本体１０の取付面１１は、湾曲の径方向内側において、湾曲方向に対して垂直に形成されている。すなわち、人工まつげ本体１０を先端側端部１３が上方になるようにして載置し、根本側端部１２から人工まつげ本体１０を見た際、取付面１１が略水平となるように形成されている。したがって、エクステンション用人工まつげ１００が使用者のまつげ２００に接着された際、装飾部材２０が人工まつげ本体１０の上面に位置する。その結果、エクステンション用人工まつげ１００が使用者のまつげ２００に取り付けられた場合であっても、装飾部材２０の向きが安定し、人工まつげ本体１０が捻れたりすることがない。したがって、装飾部材２０が常に外観上好ましい位置に配設されると共に、人工まつげ本体１０の捻れによって装飾部材２０がゆれ動くことが少ないため、装飾部材２０の脱落を防止することができる。また、人工まつげ本体１０の湾曲によって装飾部材２０の荷重が受け止められるため、装飾部材２０を安定して保持することができる。
【００４１】
また、人工まつげ本体１０において、取付面１１は、根本側端部１２の近傍に設けられていると好ましい。エクステンション用人工まつげ１００は、使用者のまつげ２００に対して取り付けられる際、主として根本側端部１２から人工まつげ本体１０の中央付近まで接着剤が塗布され、使用者のまつげ２００に対して接着される。したがって、先端側端部１３に装飾部材２０が固着された構成とするよりも、使用者のまつげ２００に固着される根本側端部１２に装飾部材２０を備えていると、装飾部材２０が安定するため、より装飾部材２０が良好に保持される。
【００４２】
上記人工まつげ本体１０の取付面１１は、樹脂材料で形成された人工まつげ本体１０の適当な位置に、所定温度（樹脂材料が変形する温度）に加熱された平面状の部材（例えば、金属製のこて等の平板状のもの）を押しつけ、押圧することによって形成される。したがって、用いられる樹脂は、熱可塑性樹脂を用いることが好ましい。
【００４３】
このように、熱可塑性樹脂が加熱されて押圧されることにより形成される取付面１１は、その表面の密度が高くなり、硬度が向上する。したがって、装飾部材２０の取り付けにおいて、より確実に、安定して装飾部材２０を人工まつげ本体１０に取り付けることができる。
【００４４】
一方、装飾部材２０には、平面状に形成された取付面１１に対して固着されるための固着面２１が備えられている。装飾部材２０の固着面２１は、平面状に形成されているため、人工まつげ本体１０の平面状に形成された取付面１１に対して接着面積を大きくすることができる。なお、固着面２１は、平面状に形成されていれば、必ずしも平滑に形成されていなくても良い。例えば、部分的に凹部が備えられていてもよい。このとき、上記取付面１１に対して嵌合可能であるとさらに好ましい。
【００４５】
なお、本実施形態では、装飾部材２０の例として、六角形のカラーストーンを示したが、装飾面の裏側（人工まつげ本体１０に接着される側）も固着面２１が形成可能であれば、その他の形状の装飾部材２０を用いてもよいのは勿論である。例えば、装飾部材２０として、八角形、星形、ハート形、花形、ドロップ型、ダイヤモンドカット等のストーンや、ビーズ等を用いてもよい。
【００４６】
また、装飾部材２０は、様々な形状のものを用いることが可能であるが、図４〜図６に示すように、装飾部材２０の略中央を人工まつげ本体１０が通るように形成されていると好ましい。そして、図５及び図６に示すように、装飾部材２０の表面側又は裏面側から見た際に、人工まつげ本体１０の取付面１１の略中心（人工まつげ本体１０の短手方向の略中心）を通り、且つ人工まつげ本体１０の長手方向（延在方向）に伸びる線（図５中の線Ｘ）を軸として、装飾部材２０が対称となるように取り付けられていると好ましい。
【００４７】
上記のように人工まつげ本体１０に対して装飾部材２０を取り付けることにより、装飾部材２０の重心が偏ること無く、人工まつげ本体１０に対してより安定して取り付けられるため、装飾部材２０が良好な状態で保持される。
【００４８】
［エクステンション用人工まつげ１００を用いたまつげ２００の加飾方法］
上記のエクステンション用人工まつげ１００は、使用者のまつげ２００の一本に対して、エクステンション用人工まつげ１００が一本接着される。まつげ２００の加飾方法について、具体的な手順を以下に示す。
【００４９】
まず、エクステンション用人工まつげ１００の先端側端部１３をツイザー（ピンセット）でつまむ。そして、予めグルー置き石に出しておいたグルー（接着剤）に対し、エクステンション用人工まつげ１００の根本側端部１２を近づけ、根本側端部１２にグルーを付ける。このとき、グルーが根本側端部１２から人工まつげ本体１０の略中央付近までに塗布されるようにする。
【００５０】
なお、グルーは、シアノアクリレートを材料とする粘性を備えた接着剤であり、速乾性を備えている。したがって、エクステンション用人工まつげ１００をまつげ２００に接着する作業は素早く行う必要がある。グルーは、ブラックを用いるのが一般的であるが、その他、デザインによっては、ブラウン、ブルー、グリーン、パープル、レッド、イエロー、ピンク等、様々な色を用いてもよい。
【００５１】
その後、グルーの付いたエクステンション用人工まつげ１００を、まつげ２００に沿って、２，３回滑らせるようにしてから取り付ける。そして、グルーが適度に乾き、エクステンション用人工まつげ１００がまつげ２００に固定された後、上記作業を適宜繰り返すことにより、まつげ２００の加飾を行う。
【００５２】
なお、装飾部材２０が備えられていない通常のエクステンション用人工まつげを取り付ける作業も上記と同様に行うことができる。装飾部材２０の脱離を防止するため、先に装飾部材２０が取り付けられたエクステンション用人工まつげ１００をまつげ２００に取り付けるのではなく、通常のエクステンション用人工まつげをまつげ２００に取り付けた後、装飾部材２０が備えられたエクステンション用人工まつげ１００を取り付けると良い。
【００５３】
このように、予め装飾部材２０が取り付けられたエクステンション用人工まつげ１００を使用者のまつげ２００に取り付けるため、装飾部材２０の取り付けに関し、施術者の熟練度に依存せず、均一な仕上がりを提供することができる。また、通常のエクステンション用人工まつげを取り付けてから装飾部材を接着することがないため、複数のまつげ２００に跨って装飾部材２０が接着されることがない。使用者のまつげ２００は成長速度が個々に異なるため、複数のまつげ２００に跨って装飾部材が装着された場合、装飾部材が脱落しやすくなるが、エクステンション用人工まつげ１００には、一本に対し、装飾部材２０が一個取り付けられており、さらに一本のエクステンション用人工まつげ１００が一本のまつげ２００に取り付けられるため、装飾部材２０が安定して取り付けられる。
【００５４】
さらに、予め装飾部材２０が人工まつげ本体１０に取り付けられているため、装飾部材２０を別途取り付ける場合と異なり、施術時間を短縮することができる。さらにまた、複数の人工まつげがひとまとめにされた付けまつげとは異なり、一本の人工まつげ本体１０からなるエクステンション用人工まつげ１００であるため、使用者は、好みのデザインの装飾部材２０を備えたエクステンション用人工まつげ１００を自由に組み合わせることができる。したがって、複数の異なる装飾部材２０を備えた加飾を容易に行うことができる。
【００５５】
［他の実施形態によるエクステンション用人工まつげ１００´の構成］
他の実施形態に係るエクステンション用人工まつげ１００´に関し、図７を参照して説明する。エクステンション用人工まつげ１００´は、取付面１１が人工まつげ本体１０の湾曲の径方向内側に形成されたエクステンション用人工まつげ１００とは異なり、取付面が人工まつげ本体１０´の湾曲の径方向外側に形成されていることを特徴とする。なお、その他の構成、効果は上記実施形態のエクステンション用人工まつげ１００と同様であるため、その説明を省略する。
【００５６】
エクステンション用人工まつげ１００´は、使用者の下まつげに取り付けられるものであり、人工まつげ本体１０´は、下まつげに沿って接着されるように、根本側端部から先端側端部にかけて下方に湾曲するように形成されている。このとき、装飾部材２０´が上方に配設されるように、エクステンション用人工まつげ１００´の取付面は湾曲の径方向外側において、湾曲方向に対して垂直に形成されている。すなわち、人工まつげ本体１０´を先端側端部が下方になるようにして載置し、根本側端部から人工まつげ本体１０´を見た際、取付面が略水平となるように形成されている。
【００５７】
したがって、エクステンション用人工まつげ１００´が使用者のまつげ２００に接着された際、装飾部材２０´が人工まつげ本体１０´の上面に位置する。その結果、エクステンション用人工まつげ１００´が使用者のまつげ２００に取り付けられた場合であっても、装飾部材２０´の向きが安定し、人工まつげ本体１０´が捻れたりすることがない。したがって、装飾部材２０´が常に外観上好ましい位置に配設されると共に、人工まつげ本体１０´の捻れによって装飾部材２０´がゆれ動くことが少ないため、装飾部材２０´の脱落を防止することができる。また、人工まつげ本体１０´の湾曲によって装飾部材２０´の荷重が受け止められるため、装飾部材２０´を安定して保持することができる。
【００５８】
上記のように、本発明のエクステンション用人工まつげには、人工まつげ本体において平面状の取付面が形成されているため、装飾部材が良好な状態で長期間にわたって保持され、耐久性が高い。なお、このとき、装飾部材においても平面状の固着面が形成されていると好ましい。また、エクステンション用人工まつげの人工まつげ本体一本に対して装飾部材が予め取り付けられているため、装飾部材が複数のまつげに跨って取り付けられることがなく、良好な接着状態を保持することができる。さらに、予め装飾部材がエクステンション用人工まつげの人工まつげ本体に取り付けられているため、使用者のまつげに取り付ける際、施術者の熟練度に依存せず、均一な仕上がりを提供することが可能であると共に、取り付け時間を短縮することができる。
【符号の説明】
【００５９】
１００，１００´  エクステンション用人工まつげ
２００  まつげ
１０，１０´  人工まつげ本体
１１  取付面
１２  根本側端部
１３  先端側端部
２０，２０´  装飾部材
２１  固着面
【図１】
0005221629.tif 000002
【図２】
0005221629.tif 000003
【図３】
0005221629.tif 000004
【図４】
0005221629.tif 000005
【図５】
0005221629.tif 000006
【図６】
0005221629.tif 000007
【図７】
0005221629.tif 000008